(57)【要約】【課題】災害などの緊急時、無線ＬＡＮ接続が可能な無線通信装置との無線接続に関し、接続の利便性とともにセキュリティ性の向上を図る。【解決手段】複数の無線端末装置（６−１、６−２・・・６−Ｎ）との無線接続が可能であり、ＬＡＮデバイス（８）が接続される単一または複数のＬＡＮポート（４６−１、４６−２・・・４６−Ｎ）を備える。第１の状態の接続情報を格納する第１の状態プロファイル（１２０）と、第２の状態の接続情報を格納する第２の状態プロファイル（１２２）とを有する記憶手段（４４）を備えている。第２の状態では、制御部（４０）が第１の状態プロファイルから切り替えられた第２の状態プロファイルにある接続情報に基づいて特定のＬＡＮポートをシャットし、無線接続される無線端末装置と特定のＬＡＮデバイスとの接続を禁止する。【選択図】図１
2014033280.tif 000002
【特許請求の範囲】
【請求項１】
複数の無線端末装置との無線接続が可能であり、ＬＡＮデバイスが接続される単一または複数のＬＡＮポートを備える無線通信装置であって、
第１の状態の接続情報を格納する第１の状態プロファイルと、前記第１の状態より緊急度の高い第２の状態の接続情報を格納する第２の状態プロファイルとを有する記憶手段と、
第２の状態では、前記第１の状態プロファイルから切り替えられた前記第２の状態プロファイルにある前記接続情報に基づいて特定のＬＡＮポートをシャットし、第２の状態で無線接続される無線端末装置と特定のＬＡＮデバイスとの接続を禁止する制御部と、
を備えることを特徴とする無線通信装置。
【請求項２】
前記制御部は、第２の状態を契機とする前記無線端末装置の無線接続を所定時間の経過後に解除することを特徴とする請求項１に記載の無線通信装置。
【請求項３】
前記制御部は、前記第２の状態において、前記無線端末装置に対する無線接続の許可、不許可、切断を表す情報、前記第２の状態プロファイルにある接続情報のいずれかまたは２以上を出力することを特徴とする請求項１に記載の無線通信装置。
【請求項４】
複数の無線端末装置との無線接続が可能であり、ＬＡＮデバイスが接続される単一または複数のＬＡＮポートを備える無線通信装置の制御方法であって、
第１の状態の接続情報を格納する第１の状態プロファイルと、前記第１の状態より緊急度の高い第２の状態の接続情報を格納する第２の状態プロファイルとを記憶手段に記憶し、
第２の状態では、前記第１の状態プロファイルから切り替えられた前記第２の状態プロファイルにある前記接続情報に基づいて特定のＬＡＮポートをシャットし、第２の状態で無線接続される無線端末装置と特定のＬＡＮデバイスとの接続を禁止する、
ことを特徴とする無線通信装置の制御方法。
【請求項５】
複数の無線端末装置との無線接続が可能であり、ＬＡＮデバイスが接続される単一または複数のＬＡＮポートを備える無線通信装置に搭載されたコンピュータで実行する制御プログラムであって、
第１の状態の接続情報を格納する第１の状態プロファイルと、前記第１の状態より緊急度の高い第２の状態の接続情報を格納する第２の状態プロファイルとを記憶手段に記憶し、
第２の状態では、前記第１の状態プロファイルから切り替えられた前記第２の状態プロファイルにある前記接続情報に基づいて特定のＬＡＮポートをシャットし、第２の状態で無線接続される無線端末装置と特定のＬＡＮデバイスとの接続を禁止する、
処理を前記コンピュータに実行させるための無線通信装置の制御プログラム。
【発明の詳細な説明】
【技術分野】
【０００１】
無線ＬＡＮ（Local Area Network）アクセスポイント装置などの無線通信装置に関し、たとえば、災害などの緊急時、外部の無線端末装置との無線接続を可能にする無線通信装置、その制御方法および制御プログラムに関する。
【背景技術】
【０００２】
災害などの緊急時には連絡手段や情報取得手段が通常時に増して重要である。身近な連絡手段である携帯電話では、回線数に限界があり、膨大なアクセスに対しては通信不能に陥る恐れがある。これに対し、スマートフォンやタブレット端末では無線ＬＡＮによる無線通信が可能である。無線ＬＡＮを媒介としたインターネット利用が普及し、無線ＬＡＮアクセスポイント装置（以下、単に「アクセスポイント」と称する）およびインターネット回線の設置数も増加している。公共エリアでは、無線ＬＡＮホットスポットやインターネットカフェなどの公共的な無線ＬＡＮ利用も可能である。しかしながら、アクセスポイントの利用には無線ＬＡＮプロファイルの設定情報が必要であるし、無線ＬＡＮプロファイルは、セキュリティキー情報が登録されており、不特定多数人の自由な利用に供するものではない。
【０００３】
無線ＬＡＮを媒介とするＬＡＮの緊急アクセスに関し、緊急ＳＳＩＤ（Service Set Identifier）が設定されていることが知られている（たとえば、特許文献１）。また、緊急時、認識可能なアクセスポイントを用いて通信を行うことが知られている（たとえば、特許文献２）。設定情報の切替えにより一時的にプリンタが他の無線ＬＡＮに接続可能にすることが知られている（たとえば、特許文献３）。
【０００４】
災害時、サーバと無線ＬＡＮで接続する無線ＬＡＮ接続手段を有し、サーバに対して災害情報の要求を行い、サーバから災害情報を受信することが知られている（たとえば、特許文献４）。
【先行技術文献】
【特許文献】
【０００５】
【特許文献１】特表２００９−５３５９４８号公報
【特許文献２】特開２００７−２７４０７３号公報
【特許文献３】特開２００３−１６３６６８号公報
【特許文献４】特開２００５−２４２４３８号公報
【発明の概要】
【発明が解決しようとする課題】
【０００６】
ところで、アクセスポイントなどの無線通信装置は、災害などの緊急時にも利用可能である。たとえば、アクセスポイントでは一般家庭や店舗などに設置されており、連絡手段や情報取得手段として利用できる。
【０００７】
アクセスポイントの利用には無線ＬＡＮプロファイルの設定が不可欠である。この無線ＬＡＮプロファイルは、特定ユーザに対して設定され、自由な利用に供せられるものではない。災害時、斯かるアクセスポイントなどの無線通信装置を利用するには、災害時に利用可能なプロファイルの設定が必要である。
【０００８】
しかしながら、災害時に利用可能なプロファイルを設定する場合、特定ユーザ側で有線接続されたユーザ側の機器に外部接続が許可されると、特定ユーザ側のセキュリティが損なわれるという課題がある。
【０００９】
そこで、斯かる課題に鑑み、災害などの緊急時、無線ＬＡＮ接続が可能な無線通信装置との無線接続に関し、接続の利便性とともにセキュリティ性の向上を図ることを目的とする。
【課題を解決するための手段】
【００１０】
上記目的を達成するため、複数の無線端末装置との無線接続が可能であり、ＬＡＮデバイスが接続される単一または複数のＬＡＮポートを備える無線通信装置が提供される。この無線通信装置では第１の状態の接続情報を格納する第１の状態プロファイルと、前記第１の状態より緊急度の高い第２の状態の接続情報を格納する第２の状態プロファイルとを有する記憶手段が提供される。第２の状態では、前記第１の状態プロファイルから切り替えられた前記第２の状態プロファイルにある前記接続情報に基づいて特定の前記ＬＡＮポートをシャットし、第２の状態で無線接続される無線端末装置と特定のＬＡＮデバイスとの接続を禁止する制御部が提供される。
【発明の効果】
【００１１】
本開示の構成によれば、次のいずれかの効果が得られる。
【００１２】
(a) 第１の状態より緊急度の高い災害などの第２の状態の場合、無線通信装置では第１の状態プロファイルから第２の状態プロファイルに切り替えられ、無線通信装置の電波受信エリアに無線端末装置が入れば無線通信装置との無線接続が可能となる。その際、第２の状態プロファイルにある接続情報に基づいて特定のＬＡＮポートがシャットされ、第２の状態の場合に無線接続された無線端末装置と特定のＬＡＮデバイスとの接続が禁止されるので、無線接続の利便性が確保される一方、セキュリティ性が高められる。
【００１３】
(b) インターネット回線との接続などの無線接続サービスの自由度が高められるとともに、ＬＡＮポートに接続されたＬＡＮデバイスの外部接続された無線端末装置との接続が禁止され、ＬＡＮポートやＬＡＮデバイス側からの情報漏洩を防止できる。
【００１４】
そして、本発明の他の目的、特徴および利点は、添付図面および各実施の形態を参照することにより、一層明確になるであろう。
【図面の簡単な説明】
【００１５】
【図１】第１の実施の形態に係る通信システムの一例を示す図である。
【図２】通信制御の処理手順の一例を示すフローチャートである。
【図３】第２の実施の形態に係る通信システムの一例を示す図である。
【図４】緊急災害用プロファイルの一例を示す図である。
【図５】無線ＬＡＮアクセスポイント装置のハードウェアの一例を示す図である。
【図６】有線ＬＡＮ通信部の一例を示す図である。
【図７】無線ＬＡＮ通信部の一例を示す図である。
【図８】無線受信部の一例を示す図である。
【図９】テーブルＡおよびテーブルＢの一例を示す図である。
【図１０】無線端末装置のハードウェアの一例を示す図である。
【図１１】無線端末装置側の表示例１および表示例２の一例を示す図である。
【図１２】無線端末装置側の表示例３、表示例４および表示例５の一例を示す図である。
【図１３】無線端末装置側の表示例６および表示例７の一例を示す図である。
【図１４】無線端末装置側の表示例８、表示例９および表示例１０の一例を示す図である。
【図１５】モード切替えの処理手順の一例を示すフローチャートである。
【図１６】テーブルＡの処理手順の一例を示すフローチャートである。
【図１７】災害時の処理手順の一例を示すフローチャートである。
【図１８】通信制御の処理手順の一例を示すフローチャートである。
【図１９】災害時の無線端末装置の処理手順の一例を示すフローチャートである。
【図２０】無線端末装置側の終了処理の処理手順の一例を示すフローチャートである。
【図２１】災害モード時の有線ＬＡＮポート設定の処理手順の一例を示すフローチャートである。
【図２２】災害モード時のＬＡＮ接続の処理手順の一例を示すフローチャートである。
【図２３】災害モード時の処理シーケンスを示すフローチャートである。
【図２４】災害モード時の処理シーケンスを示すフローチャートである。
【発明を実施するための形態】
【００１６】
〔第１の実施の形態〕
【００１７】
図１は、第１の実施の形態に係る通信システムを示している。この通信システム２は、本開示の無線通信装置、その制御方法および制御プログラムの一例である。
【００１８】
図１に示す通信システム２では、少なくとも１つの無線ＬＡＮアクセスポイント装置（以下、単に「アクセスポイント」と称する）４が含まれる。このアクセスポイント４は本開示の無線通信装置の一例である。
【００１９】
このアクセスポイント４はたとえば、無線通信や有線通信が可能なコンピュータで構成される。このアクセスポイント４には、一例としてプロセッサ４０、通信部４２、メモリ４４、単一または複数のＬＡＮポートとして複数の有線ＬＡＮポート４６−１、４６−２、４６−３・・・４６−Ｎが備えられている。
【００２０】
プロセッサ４０は制御部の一例である。このプロセッサ４０では、通常時（平常時）、通常モード（Ｍ１）を実行し、災害時などの緊急時、災害モード（Ｍ２）を実行する。通常時は第１の状態の一例であり、緊急時は第１の状態より緊急度の高い第２の状態の一例である。通常時、通常プロファイル１２０を用いた通常モードでの通信などの制御を行う。通常プロファイル１２０は第１の状態プロファイルの一例である。災害などの緊急時、緊急災害用プロファイル１２２を用いた災害モードでの通信などの制御を行う。緊急災害用プロファイル１２２は第２の状態プロファイルの一例である。
【００２１】
通信部４２は、アンテナ４８を備え、プロセッサ４０の制御により、アクセスポイント４の電波受信エリア１０に入った無線ＬＡＮ端末装置（以下、単に「端末装置」と称する）６−１、６−２・・・６−Ｎと無線接続を行う。
【００２２】
メモリ４４は記憶手段の一例である。このメモリ４４は、プロファイルなどの各種のデータを格納する記録媒体で構成される。この実施の形態のメモリ４４には、通常プロファイル１２０および緊急災害用プロファイル１２２が格納されている。通常プロファイル１２０は、通常時の通信に用いる接続情報を格納した無線ＬＡＮプロファイルの一例である。緊急災害用プロファイル１２２は、緊急時の通信に用いる接続情報を格納した無線ＬＡＮプロファイルの一例である。
【００２３】
有線ＬＡＮポート４６−１、４６−２、４６−３・・・４６−Ｎにはサーバなど、有線ＬＡＮデバイス８が接続される。
【００２４】
このアクセスポイント４に対し、複数の無線ＬＡＮ端末装置（以下、単に「端末装置」と称する）６−１、６−２・・・６−Ｎが存在する。各端末装置６−１、６−２・・・６−Ｎは特定端末装置または不特定端末装置である。各端末装置６−１、６−２・・・６−Ｎはアンテナ６２を備え、一定の条件によりアクセスポイント４との無線通信が可能である。つまり、通常時、特定ユーザ（たとえば、アクセスポイント４の管理者または所有者など）が使用するたとえば、端末装置６−１はアクセスポイント４との無線接続が可能である。これに対し、災害時、不特定の他の端末装置６−２・・・６−Ｎはアクセスポイント４の電波受信エリア１０に入れば、アクセスポイント４と無線接続が可能である。
【００２５】
斯かる構成では、災害などの緊急時、プロセッサ４０により実行中の通常プロファイル１２０から緊急災害用プロファイル１２２に切り替えられる。これにより、災害モードが実行され、不特定の端末装置６−１、６−２・・・６−Ｎとの無線接続が可能となる。そして、緊急災害用プロファイル１２２による制御では、緊急災害用プロファイル１２２にある接続情報に基づいて特定の有線ＬＡＮポート４６−１、４６−２、４６−３・・・４６−Ｎのうちから特定のものがシャットされる。これにより、緊急時に無線接続された端末装置６と特定の有線ＬＡＮデバイス８との接続が禁止される。
【００２６】
＜通信制御の処理手順＞
【００２７】
図２は、通信システム２の通信制御の処理手順を示している。この処理手順は、本開示の無線通信装置の制御方法または制御プログラムの一例である。
【００２８】
図２に示す処理手順は、既述のアクセスポイント４の制御を実行する。メモリ４４に通常プロファイル１２０および緊急災害用プロファイル１２２を記憶する（Ｓ１１）。つまり、通常プロファイル１２０が存在していれば、緊急災害用プロファイル１２２を追加する。緊急災害用プロファイル１２２には、緊急災害用の接続情報を格納する。
【００２９】
プロセッサ４０が災害時かを判別する（Ｓ１２）。通常時、緊急災害の到来を監視する。緊急災害か否かの判別にはたとえば、緊急地震速報を用いればよい。
【００３０】
通常時には（Ｓ１２のＮＯ）、通常プロファイル１２０により通常モードを実行する（Ｓ１３）。これに対し、緊急時には（Ｓ１２のＹＥＳ）、プロセッサ４０が通常プロファイル１２０から緊急災害用プロファイル１２２に切り替える。これにより、災害時には緊急災害用プロファイル１２２により災害モードを実行する（Ｓ１４）。
【００３１】
災害モードでは、緊急災害用プロファイル１２２にある接続情報に基づいて特定の有線ＬＡＮポートをシャットする。これにより、緊急時に無線接続される端末装置６と特定の有線ＬＡＮデバイス８との接続が禁止される（Ｓ１５）。
【００３２】
＜第１の実施の形態の効果＞
【００３３】
上記実施の形態によれば、次のような効果が得られる。
【００３４】
(a) 災害などの緊急時、特定のアクセスポイント４が一般に開放され、緊急時に必要な通信手段を構成できる。
【００３５】
(b) アクセスポイント４には緊急災害用プロファイル１２２が備えられ、その設定により不特定の端末装置６−２、６−３・・・６−Ｎとの接続が可能である。端末装置６は、アクセスポイント４に接続されているインターネット回線に接続することができる。
【００３６】
(c) アクセスポイント４ではたとえば、緊急地震速報の受信を契機に通常プロファイル１２０から緊急災害用プロファイル１２２に自動切替えを行うことができる。したがって、緊急災害用プロファイル１２２に格納されている接続情報を用いて緊急時に必要な通信を不特定の端末装置６−２、６−３・・・６−Ｎで行うことができる。
【００３７】
(d) 災害モードに切り替えられたとき、緊急災害用プロファイル１２２に登録されている有線ＬＡＮポートをシャットするので、災害モードの実行時、セキュリティを確保することができる。
【００３８】
〔第２の実施の形態〕
【００３９】
図３は、第２の実施の形態に係る通信システムを示している。この通信システムは、本開示の無線通信装置、その制御方法または制御プログラムの一例である。
【００４０】
この通信システム２には複数の無線ＬＡＮアクセスポイント装置４−１、４−２（以下、単に「アクセスポイント４−１、４−２またはアクセスポイント４」と称する）および端末装置６が含まれる。アクセスポイント４−１はたとえば、家屋１３−１内に設置される。アクセスポイント４−２はたとえば、ビル１３−２、その他の店舗などに設置される。
【００４１】
端末装置６は無線接続媒体の一例として電波１４を用いた無線接続によりたとえば、インターネットを通じて情報の授受が可能な情報端末の一例である。この端末装置６には、スマートフォン６０−１、６０−２、パーソナルコンピュータ（ＰＣ）６０−３などが含まれる。スマートフォン６０−１、６０−２、ＰＣ６０−３は、既述の端末装置６−１、６−２・・・６−Ｎの一例である。
【００４２】
通常時、アクセスポイント４−１、４−２には特定のスマートフォン６０−１、６０−２、ＰＣ６０−３のいずれかまたは２以上が無線接続される。そして、端末装置６には無線ＬＡＮ設定情報１２が設定されている。この無線ＬＡＮ設定情報１２には、通常プロファイル１２０および緊急災害用プロファイル１２２が含まれる。通常プロファイル１２０は、無線ＬＡＮ設定情報１２のうち、通常時に用いられるプロファイルであり、所有者などの特定のユーザ１６により任意に設定される。
【００４３】
緊急災害用プロファイル１２２は、災害発生１８の際、既述の電波１４により無線接続を可能にするためのプロファイルである。この緊急災害用プロファイル１２２が各アクセスポイント４−１、４−２および端末装置６に共通に設定されている。つまり、災害発生１８の際には、緊急災害用プロファイル１２２を用いて既述の電波１４により無線接続を可能にする。
【００４４】
＜緊急災害用プロファイル１２２＞
【００４５】
図４は、緊急災害用プロファイル１２２の一例を示している。この緊急災害用プロファイル１２２は、無線ＬＡＮ設定情報１２の一部を構成する。この緊急災害用プロファイル１２２には、項目情報２０と、設定値情報２２が格納されている。項目情報２０は情報の種別である。この項目情報２０にはたとえば、ＳＳＩＤ（Service set identifier：通信先識別情報）、セキュリティキー（Key ）、チャンネル情報が含まれる。
【００４６】
ＳＳＩＤは無線ＬＡＮで通信相手を識別するために用いられる文字列である。この場合、ＳＳＩＤの設定値情報２２では一例として、「ＫＩＮＫＹＵ」である。
【００４７】
セキュリティキー（Ｋｅｙ）は、通信接続に用いられるキー情報であって、この場合、設定値情報２２は「ＯＰＥＮ」である。「ＯＰＥＮ」は、通信規制を解除した状態を表している。
【００４８】
チャンネル情報は接続可能チャンネル情報である。この場合、設定値情報２２には、接続可能チャンネル情報として、「１１〔ｃｈ〕」が表示されている。この１１〔ｃｈ〕は、最もポピュラーな周波数チャンネルを表している。このチャンネルの周波数はたとえば、２．４６２〔ＧＨｚ〕である。
【００４９】
＜アクセスポイント４−１、４−２＞
【００５０】
図５は、アクセスポイント４−１、４−２のハードウェアの一例を示している。
【００５１】
たとえば、アクセスポイント４−１は無線通信機能を備えたコンピュータで構成されている。このアクセスポイント４−１は、プロセッサ４０、有線ＬＡＮ通信部４０２、無線ＬＡＮ通信部４０４、無線受信部４０６、ルーティング制御部４０８、メモリ４４、電源部４１２、表示部４１４、有線ＷＡＮ通信部４１６などの機能部を含んでいる。これら機能部はバス４１８で接続されている。
【００５２】
プロセッサ４０は既述の機能部の制御部であって、メモリ４４に格納されているＯＳ（Operating System）の実行により、ファームウェアプログラム、アプリケーションプログラムなど、各種のプログラムを実行する。この場合、プロセッサ４０は、「災害モード」の切替え手段を構成しており、無線受信部４０６がたとえば、「緊急地震速報」を受信した際、これを契機に「災害モード」に移行する。つまり、プロセッサ４０は、緊急時、無線接続中の端末装置６に対する無線接続の許可、不許可、切断を表す情報、緊急災害用プロファイル１２２にある接続情報のいずれかまたは２以上を出力する。
【００５３】
有線ＬＡＮ通信部４０２は主として通常時、有線ＬＡＮを媒介とする外付けハードディスク、プリンタなどの各種の有線ＬＡＮデバイス８と有線接続を行う。
【００５４】
無線ＬＡＮ通信部４０４は既述の通信部４２（図１）の一例である。この無線ＬＡＮ通信部４０４はアンテナ４８を備え、通常時および緊急災害時など、プロセッサ４０の制御により無線ＬＡＮ機器との無線接続を行う。無線ＬＡＮ機器には、既述の端末装置６が含まれる。
【００５５】
無線受信部４０６は緊急地震速報受信部の一例であり、アンテナ４２２を備え、「緊急地震速報」を無線電波により受信する。この「緊急地震速報」はたとえば、基地局から送信される。非常時を表す信号は、緊急地震速報に限定されない。
【００５６】
ルーティング制御部４０８は経路設定に用いられ、有線または無線の経路設定を行う。
【００５７】
メモリ４４には、ＲＯＭ（Read-Only Memory）、ＲＡＭ（Random-Access Memory）などの記憶手段が含まれる。ＲＯＭには、既述のＯＳやファームウェアプログラム、アプリケーションプログラムなどのプログラムの他、情報記憶部が設定されている。この情報記憶部にはテーブルＡ、テーブルＢなどの複数のテーブル４４４−１、４４４−２が設定されている。テーブル４４４−１（テーブルＡ）にはたとえば、過去に接続した端末が持つ「有線ＬＡＮ−ＭＡＣアドレス」とその端末が災害時にネットワーク回線からシャットするか接続維持とするかの設定情報を格納する。テーブル４４４−２（テーブルＢ）にはアクセスポイントに現在、有線ＬＡＮ接続している端末のマックアドレスとそのポート情報を格納する。メモリ４４はハードディスク装置や半導体記憶装置などで構成される。
【００５８】
電源部４１２は既述の各機能部に電源を供給する。表示部４１４はたとえば、ＬＣＤ（Liquid Crystal Display）で構成され、各種の情報を表示する。
【００５９】
有線ＷＡＮ（wide area network ）通信部４１６はプロセッサ４０の制御によりインターネット２４と接続され、外部のコンピュータと接続され、有線により情報の授受を行う。
【００６０】
斯かる構成において、アクセスポイント４−１では、無線受信部４０６が「緊急地震速報」を受信すると、プロセッサ４０は、「災害モード」に切り替え、「災害モード」の動作を行う。
【００６１】
これらのハードウェア構成および機能は、既述のアクセスポイント４−２においても同様であるので、その説明を割愛する。
【００６２】
＜有線ＬＡＮ通信部４０２＞
【００６３】
図６は、有線ＬＡＮ通信部４０２の一例を示している。この有線ＬＡＮ通信部４０２ではバス４１８を介して有線ＬＡＮ制御部４２６が接続されている。この有線ＬＡＮ制御部４２６にはセレクタ４２８を介して有線ＬＡＮポートＡ、Ｂなど複数の有線ＬＡＮポート４６−１、４６−２、４６−３・・・４６−Ｎが設けられている。有線ＬＡＮ制御部４２６はセレクタ４２８の制御を行う。セレクタ４２８はスイッチである。セレクタ４２８の制御により、有線ＬＡＮポート４６−１、４６−２、４６−３・・・４６−Ｎが切り替えられる。
【００６４】
この実施の形態では、有線ＬＡＮポート４６−１には一例としてサーバ２６が接続されている。有線ＬＡＮポート４６−２には一例としてＨＤＤ（Hard Disk Drive ：ハードディスク装置）２８が接続されている。有線ＬＡＮポート４６−３には一例としてプリンタ２９が接続されている。有線ＬＡＮポート４６−Ｎには一例としてＮＡＳ（Network Attached Storage：ネットワークに接続可能な記憶装置）３０が接続されている。
【００６５】
サーバ２６は、プロセッサ４０と連携される情報処理装置の一例である。ＨＤＤ２８、ＮＡＳ３０はプロセッサ４０と連携される記憶装置の一例であり、各種の情報が格納される。つまり、これらの有線ＬＡＮ装置は、緊急非常時に外部接続される端末装置６とはセキュリティ上、接続回避が必要である。プリンタ２９は、電子情報を紙媒体などに文字や図形、画像に顕在化させる手段の一例である。
【００６６】
＜無線ＬＡＮ通信部４０４＞
【００６７】
図７は、無線ＬＡＮ通信部４０４の一例を示している。この無線ＬＡＮ通信部４０４では、無線ＬＡＮ送受信部４３２、無線ＬＡＮ制御部４３４、セレクタ４３６、記憶手段としてＲＯＭ−Ａ、ＲＯＭ−Ｂなどの複数のＲＯＭ４４８−１、４４８−２、入力部４４０、入力バッファ４４２が設置されている。
【００６８】
無線ＬＡＮ送受信部４３２は、既述のアンテナ４８を備え、無線ＬＡＮ信号の送受信を行う。
【００６９】
無線ＬＡＮ制御部４３４は、無線ＬＡＮ信号の送受信の制御、セレクタ４３６の切替え制御を行う。セレクタ４３６はスイッチであり、ＲＯＭ４４８−１、４４８−２の切替えを行う。
【００７０】
ＲＯＭ４４８−１、４４８−２は、既述のメモリ４４に含まれている。ＲＯＭ４４８−１には、緊急災害時に用いられる緊急災害用プロファイル１２２が格納されている。ＲＯＭ４４８−２には、通常プロファイル１２０が格納されている。つまり、通常時の設定情報には、ＲＯＭ４４８−２（ＲＯＭ−Ｂ）に格納されている通常プロファイル１２０が用いられる。これに対し、緊急災害時の設定情報には、ＲＯＭ４４８−１（ＲＯＭ−Ａ）にある緊急災害用プロファイル１２２に切り替えられ、緊急災害用プロファイル１２２が用いられる。たとえば、無線受信部４０６（図５）が緊急地震速報を受信した場合、この受信を契機に無線ＬＡＮ制御部４３４がセレクタ４３６により、ＲＯＭ４４８−１からＲＯＭ４４８−２に切り替える。
【００７１】
通常時、入力部４４０は情報入力に用いられる。この情報入力を受け、その入力情報が入力バッファ４４２に保持される。
【００７２】
＜無線受信部４０６＞
【００７３】
図８は、無線受信部４０６の一例を示している。この無線受信部４０６には緊急情報受信部４４５が備えられている。この緊急情報受信部４４５はアンテナ４２２を通してたとえば、緊急地震速報を受信する。この緊急地震速報を受信すると、緊急情報受信部４４５は緊急地震速報の受信情報を含む制御情報を緊急情報制御部４４６に伝える。この緊急情報制御部４４６は、緊急情報の受信に基づく制御情報をプロセッサ４０に通知する。
【００７４】
＜テーブル４４４−１（テーブルＡ）＞
【００７５】
図９のＡは、テーブル４４４−１（図５）の一例を示している。このテーブル４４４−１は、アクセスポイント４−１、４−２（図３）のメモリ４４に備えられる。このテーブル４４４−１には、過去に接続した端末装置６の識別情報および設定情報が格納される。識別情報は、端末装置６の識別情報であるたとえば、有線ＬＡＮ−ＭＡＣアドレスである。設定情報は、端末装置６の災害時などの緊急時にネットワーク回線（ＬＡＮ回線）から遮断するか否かを設定するための情報である。つまり、この設定情報は「シャットするか接続したままとするか」についての設定情報である。この設定情報は、設定後、手動での変更も可能とする。
【００７６】
このテーブル４４４−１はたとえば、図９のＡに示すように、識別情報格納部３２および設定情報格納部３４を備えている。
【００７７】
識別情報格納部３２には過去に接続した端末の有線ＬＡＮ−ＭＡＣアドレスが格納されている。「ａａ・・・・・・、ｂｂ・・・・・・、ｃｃ・・・・・・、ｄｄ・・・・・・」は、有線ＬＡＮ−ＭＡＣアドレスの一例であり、接続された端末の識別情報を示している。
【００７８】
設定情報格納部３４にはたとえば、災害モード時のポート設定情報が格納されている。‘Ｏｐｅｎ’および‘Ｓｈｕｔ’はポート設定情報の一例である。‘Ｏｐｅｎ’はポートが接続可の状態を表す。‘Ｓｈｕｔ’はポート閉止状態を表す。
【００７９】
＜テーブル４４４−２（テーブルＢ）＞
【００８０】
図９のＢは、テーブル４４４−２（図５）の一例を示している。このテーブル４４４−２にはアクセスポイント４−１、４−２に対し、現在、有線ＬＡＮポート４６に接続している端末のＭＡＣアドレスと、そのポート情報を格納する。端末が接続されていない有線ＬＡＮポートでは‘Ｏｐｅｎ’とする。設定がされていないデバイスたとえば、ネットワークに接続されているＨＤＤ２８、プリンタ２９などの設定できないデバイスが接続されている有線ＬＡＮポートについてはシャット（‘Ｓｈｕｔ’）とする。これらの設定情報により、災害モード時、有線ＬＡＮポート４６を停止（シャット）するか、接続可（オープン：‘Ｏｐｅｎ’）とするかの動作を決定できる。
【００８１】
このテーブル４４４−２はたとえば、図９のＢに示すように、有線ＬＡＮポート情報格納部３６、識別情報格納部３８および設定情報格納部３９を備えている。
【００８２】
有線ＬＡＮポート情報格納部３６には有線ＬＡＮポートを特定する情報が格納される。つまり、この有線ＬＡＮポート情報格納部３６には既述の有線ＬＡＮポート４６−１、４６−２、４６−３・・・４６−Ｎを表す情報が格納される。この場合、‘Ａ’は有線ＬＡＮポート４６−１、‘Ｂ’は有線ＬＡＮポート４６−２、‘Ｃ’は有線ＬＡＮポート４６−３、‘Ｄ’は有線ＬＡＮポート４６−４を示している。
【００８３】
識別情報格納部３８には過去に接続した端末の有線ＬＡＮ−ＭＡＣアドレスが格納されている。「ａａ・・・・・・」、「ｂｂ・・・・・・」・・・・・「ｚｚ・・・・・・」は、有線ＬＡＮ−ＭＡＣアドレスの一例であり、接続された端末の識別情報を示している。「接続なし」は未接続の状態である。この場合、「ｚｚ・・・・・・」は、テーブル４４４−１に登録されていない「有線ＬＡＮ−ＭＡＣアドレス」を示している。
【００８４】
設定情報格納部３９にはたとえば、災害モード時のポート設定情報が格納されている。‘Ｏｐｅｎ’および‘Ｓｈｕｔ’はポート設定情報の一例である。‘Ｏｐｅｎ’はポートが接続可の状態を表す。‘Ｓｈｕｔ’はポート閉止状態を表す。
【００８５】
この場合、有線ＬＡＮポート４６−１を表す‘Ａ’は、有線ＬＡＮ−ＭＡＣアドレスが「ｂｂ・・・・・・」であり、ポート閉止状態‘Ｓｈｕｔ’である。つまり、緊急時に外部接続された端末装置６との接続が禁止されている。
【００８６】
そして、有線ＬＡＮポート４６−４を表す‘Ｄ’は、有線ＬＡＮ−ＭＡＣアドレスが「ｚｚ・・・・・・」であって、テーブル４４４−１に登録されていない「有線ＬＡＮ−ＭＡＣアドレス」であるから、ポート閉止状態‘Ｓｈｕｔ’となっている。つまり、緊急時に外部接続された端末装置６との接続が禁止されている。
【００８７】
＜端末装置６＞
【００８８】
図１０は、端末装置６のハードウェアの一例を示している。この端末装置６は無線通信機能を備えたコンピュータで構成されている。この端末装置６は、プロセッサ６００、表示部６０２、操作部６０４、無線受信部６０６、メモリ６０８、電源部６１０、無線通信部６１２、６１４などの機能部を含んでいる。これら機能部はバス６１６で接続されている。
【００８９】
プロセッサ６００は既述の機能部の制御部であって、メモリ６０８に格納されているＯＳの実行により、ファームウェアプログラム、アプリケーションプログラムなど、各種のプログラムを実行する。この場合、プロセッサ６００は、「災害モード」の切替え手段を構成しており、無線受信部６０６がたとえば、「緊急地震速報」を受信した際、これを契機に「災害モード」に移行する。
【００９０】
表示部６０２はたとえば、ＬＣＤ（Liquid Crystal Display）で構成され、各種の情報を表示する。この表示部６０２には情報を表示する画面６０３が備えられている。
【００９１】
操作部６０４はキーボードなどの情報入力手段であって、文字、記号などの入力に用いられる。表示部６０２の既述の画面上にタッチパネルセンサで構成してもよい。
【００９２】
無線受信部６０６は緊急地震速報受信部の一例であり、アンテナ６１８を備え、緊急地震速報を無線により受信する。
【００９３】
メモリ６０８には、ＲＯＭ、ＲＡＭなどの記憶手段が含まれる。ＲＯＭには、既述のＯＳやファームウェアプログラム、アプリケーションプログラムなどのプログラムの他、情報記憶部が設定されている。メモリ６０８はハードディスク装置や半導体記憶装置などで構成される。
【００９４】
電源部６１０は既述の各機能部に電源を供給する。
【００９５】
無線通信部６１２はアンテナ６２０を備え、プロセッサ６００の制御により基地局に接続される。
【００９６】
無線通信部６１４はアンテナ６２２を備え、プロセッサ６００の制御により無線ＬＡＮアクセスポイントとの無線接続が可能であり、たとえば、既述のアクセスポイント４−１または４−２に接続される。
【００９７】
係る構成において、端末装置６では、無線受信部６０６が「緊急地震速報」を受信すると、プロセッサ６００は、「災害モード」に切り替え、「災害モード」の動作を行う。
【００９８】
＜端末装置６の表示部６０２の表示例＞
【００９９】
(1) 表示例１（緊急地震速報の受信表示、モード切替え表示など）
【０１００】
この表示例１は、緊急地震速報を受信した際の端末装置６の画面表示の一例である。図１１のＡに示す表示例１には表示部６０２の画面にその旨のメッセージ表示７２−１、ガイド表示７２−２およびダイアログアイコン表示７２−３が表示されている。
【０１０１】
メッセージ表示７２−１には緊急地震速報の受信情報、接続の災害モードへの切替えの問い合わせ情報などが表示されている。このメッセージ表示７２−１では一例として「緊急地震速報を受信しましたので、無線ＬＡＮ（Ｗｉ−Ｆｉ）接続を災害モードに切り替えますがよろしいですか。」と表示されている。
【０１０２】
ガイド表示７２−２にはモード切替えの注意情報が表示されている。このガイド表示７２−２では一例として「（このモードに切り替えることで、災害モードが許可された全てのアクセスポイントへの接続が可能になります。また、切り替えない場合は無線ＬＡＮ接続ができなくなる場合があります。）」と表示されている。
【０１０３】
ダイアログアイコン表示７２−３は、表示画面６０３の下欄に表示された選択操作部の一例として「はい」および「いいえ」で構成されている。「はい」または「いいえ」の選択は、該選択操作を割り当てたハードキーまたはタッチ入力により、ユーザの選択に委ねられる。つまり、「はい」を選択すれば、災害モードへの移行が指示される。「いいえ」を選択すれば、災害モードへの移行が禁止され、現状モードの選択となる。
【０１０４】
(2) 表示例２（設定モードの切替え通知表示、切替え情報表示など）
【０１０５】
この表示例２は、災害モード切替えの画面表示の一例である。図１１のＢに示す表示例２には表示部６０２の画面６０３にその旨のメッセージ表示７４−１、ガイド表示７４−２および接続情報表示７４−３が表示される。
【０１０６】
メッセージ表示７４−１には災害モード切替えの通知情報などが表示されている。このメッセージ表示７４−１では一例として「接続中のアクセスポイントの設定を災害モードに切り替えます。」と表示される。
【０１０７】
ガイド表示７４−２にはモード切替えの注意情報が表示されている。このガイド表示７４−２では一例として「（接続中のアクセスポイントと無線ＬＡＮ接続が出来なくなる場合があります。接続出来ない場合は、下記設定内容で手動接続を行ってください。）」と表示されている。
【０１０８】
接続情報表示７４−３には接続キーなど、接続に必要な情報が表示されている。この接続情報表示７４−３では一例として、既述の「ＳＳＩＤ：ＫＩＮＫＹＵ／セキュリティキー：ＯＰＥＮ」（図４）が表示される。
【０１０９】
(3) 表示例３（通常モードの無線ＬＡＮ接続の切断）
【０１１０】
この表示例３は、通常モードの無線ＬＡＮ接続の切断時の画面表示の一例である。図１２のＡに示す表示例３には表示部６０２の画面６０３にその旨のメッセージ表示７６が表示されている。
【０１１１】
このメッセージ表示７６には通常モードの無線ＬＡＮ接続の切断通知が表示されている。このメッセージ表示７６では一例として「通常モードの無線ＬＡＮ接続が切断されました。」と表示される。
【０１１２】
(4) 表示例４（災害モードの切替えの問い合わせ）
【０１１３】
この表示例４は、災害モードの切替えの問い合わせの画面表示の一例である。図１２のＢに示す表示例４には表示部６０２の画面６０３にその旨のメッセージ表示７８−１およびダイアログアイコン７８−２が表示されている。
【０１１４】
メッセージ表示７８−１には災害モードの切替えの問い合わせが表示されている。このメッセージ表示７８−１では一例として「災害モードに切り替えてもよろしいですか？」と表示される。
【０１１５】
ダイアログアイコン７８−２は、表示画面６０３の下欄に表示された選択操作部の一例として「はい」および「いいえ」で構成されている。「はい」または「いいえ」の選択は、該選択操作を割り当てたハードキーまたはタッチ入力により、ユーザの選択に委ねられる。つまり、「はい」を選択すれば、災害モードへの移行が指示される。「いいえ」を選択すれば、災害モードへの移行が禁止され、現状の通常モードの選択となる。
【０１１６】
(5) 表示例５（アクセスポイントの接続表示）
【０１１７】
この表示例５は、アクセスポイントとの接続を表す画面表示の一例である。図１２のＣに示す表示例５には表示部６０２の画面６０３にその旨のメッセージ表示８０が表示されている。
【０１１８】
このメッセージ表示８０には  アクセスポイントとの接続を表すメッセージが表示されている。このメッセージ表示８０では一例として「災害モードのアクセスポイントと接続しました。」と表示されている。
【０１１９】
(6) 表示例６（通常モード時の表示）
【０１２０】
表示例６は、通常モード時を表す画面表示の一例である。通常モード時には、図１３のＡに示すように、表示部６０２の画面上部にメッセージアイコン８２が表示される。メッセージアイコン８２は、通常モードでアクセスポイントとの無線通信が可能である旨を表している。
【０１２１】
(7) 表示例７（災害モード時の表示）
【０１２２】
表示例７は、災害モード時を表す画面表示の一例である。災害モード時には、図１３のＢに示すように、表示部６０２の画面上部の既述のメッセージアイコン８２−１に隣接して災害モードアイコン８２−２が表示されている。つまり、メッセージアイコン８２−１および災害モードアイコン８２−２のダブル表示により、災害モードでアクセスポイント４との無線通信が可能である旨を表している。
【０１２３】
(8) 表示例８（通常モードの切り替え表示）
【０１２４】
この表示例８は、通常モードの切替え時の画面表示の一例である。図１４のＡに示す表示例８には表示部６０２の画面６０３にその旨のメッセージ表示８４が表示されている。
【０１２５】
このメッセージ表示８４には  通常モードへの切替えを表すメッセージが表示されている。このメッセージ表示８４では一例として「通常モードに切り替えます。」と表示されている。
【０１２６】
(9) 表示例９（災害モードの無線ＬＡＮ接続の切断表示）
【０１２７】
この表示例９は、災害モードの無線ＬＡＮ接続の切断時の画面表示の一例である。図１４のＢに示す表示例９には表示部６０２の画面６０３にその旨のメッセージ表示８６が表示されている。
【０１２８】
このメッセージ表示８６には、災害モードの無線ＬＡＮ接続の切断を表すメッセージが表示されている。このメッセージ表示８６では一例として「災害モードの無線ＬＡＮ接続が切断されました。」と表示されている。
【０１２９】
(10)表示例１０（通常モードの無線ＬＡＮ接続の表示）
【０１３０】
この表示例１０は、通常モードの無線ＬＡＮ接続の接続時の画面表示の一例である。図１４のＣに示す表示例１０には表示部６０２の画面６０３にその旨のメッセージ表示８８が表示されている。
【０１３１】
このメッセージ表示８８には、通常モードの無線ＬＡＮ接続を表すメッセージが表示されている。このメッセージ表示８８では一例として「通常モードで無線ＬＡＮ接続しました。」と表示されている。
【０１３２】
＜有線ＬＡＮポートの設定処理＞
【０１３３】
図１５は、有線ＬＡＮポートの設定の処理手順を示している。この処理手順は、本開示の制御方法または制御プログラムの一例である。
【０１３４】
この処理手順では、無線ＬＡＮ接続されている端末装置６を確認する（Ｓ２０１）。この確認は通常プロファイル１２０を参照して行い、無線ＬＡＮ接続されている端末装置６があるか否かを確認する（Ｓ２０２）。無線ＬＡＮ接続されている端末装置６があれば（Ｓ２０２のＹＥＳ）、その端末装置６に対して災害モードの実行に必要な情報を通知する（Ｓ２０３）。この情報には、「緊急災害用プロファイル１２２に切り替わることおよび緊急災害用プロファイル１２２の設定情報（ＳＳＩＤ、セキュリティキーなど）」が含まれる。この通知はポップアップなどで行えばよい。
【０１３５】
この通知の後、ＲＯＭ４４８−１（ＲＯＭ−Ａ）に格納されている緊急災害用プロファイル１２２を読み込む（Ｓ２０４）。アクセスポイント４の再起動により（Ｓ２０５）、アクセスポイント４が災害モード（Ｍ２）に切り替えられる（Ｓ２０６）。災害モードに切り替えられたアクセスポイント４で災害モードを実行する（Ｓ２０７）。たとえば、アクセスポイント４−１、４−２が災害モードに切り替えられ、災害モードを実行する（Ｓ２０７）。
【０１３６】
Ｓ２０２において、無線ＬＡＮ接続されている機器がなければ（Ｓ２０２のＮＯ）、この処理を終了する。
【０１３７】
＜テーブル４４４−１（テーブルＡ）の情報設定処理＞
【０１３８】
図１６は、テーブル４４４−１（テーブルＡ）の情報設定の処理手順を示している。この処理手順は、本開示の制御方法または制御プログラムの一例である。
【０１３９】
この処理手順には、アクセスポイント４の有線ＬＡＮポート４６に接続されている有線ＬＡＮデバイス８の有線ＬＡＮ−ＭＡＣアドレスがテーブル４４４−１（テーブルＡ）に登録されているかの確認処理を含む。この処理では、アクセスポイント４の有線ＬＡＮポート４６に有線ＬＡＮデバイス８が接続された場合、その有線ＬＡＮ−ＭＡＣアドレスがテーブル４４４−１に登録されているか否かを確認する。
【０１４０】
この処理手順ではアクセスポイント４の有線ＬＡＮポート４６に有線ＬＡＮデバイス８が接続される（Ｓ２１１）。接続された有線ＬＡＮデバイス８の有線ＬＡＮ−ＭＡＣアドレスはテーブル４４４−１（テーブルＡ）に登録されているＭＡＣアドレスかを判定する（Ｓ２１２）。テーブル４４４−１に既に設定されているＭＡＣアドレスであれば（Ｓ２１２のＹＥＳ）、この処理を終了する。
【０１４１】
テーブル４４４−１にＭＡＣアドレスが設定されていない場合には（Ｓ２１２のＮＯ）、災害時に有線ＬＡＮポート４６をシャット設定とするかを確認する（Ｓ２１３）。
【０１４２】
シャット設定を選択した場合には（Ｓ２１３のＹＥＳ）、テーブル４４４−１に‘有線ＬＡＮ−ＭＡＣアドレス’と、災害モード時のポート設定として‘Ｓｈｕｔ’を追加し（Ｓ２１４）、この処理を終了する。
【０１４３】
シャットを選択しない場合には（Ｓ２１３のＮＯ）、テーブル４４４−１（テーブルＡ）に‘有線ＬＡＮ−ＭＡＣアドレス’と、災害モード時のポート設定として‘Ｏｐｅｎ’を追加し（Ｓ２１５）、この処理を終了する。
【０１４４】
＜災害時のアクセスポイント４の処理＞
【０１４５】
図１７は、災害時のアクセスポイント４側の処理手順を示している。この処理手順は、本開示の制御方法または制御プログラムの一例である。
【０１４６】
災害時、アクセスポイント４は、「緊急地震速報」を受信する（Ｓ２２１）。この「緊急地震速報」を契機に、アクセスポイント４では、‘災害モード’の許可を設定しているかを確認する（Ｓ２２２）。
【０１４７】
‘災害モード’の許可を設定している場合には（Ｓ２２２のＹＥＳ）、災害モード時にネットワーク接続のシャットを設定している有線ＬＡＮポート４６をシャットする（Ｓ２２３）。これにより、災害モードで、ネットワーク内に新しく端末装置６が進入した際、これまでに有線ＬＡＮ接続している共有サーバやその他共有しているファイルなどへのアクセスを禁止する。
【０１４８】
無線ＬＡＮで接続している有線ＬＡＮデバイス８があるかを確認する（Ｓ２２４）。無線ＬＡＮで接続している有線ＬＡＮデバイス８があれば（Ｓ２２４のＹＥＳ）、緊急災害用プロファイル１２２に切り替わることおよび緊急災害用プロファイル１２２の設定情報を端末装置６に通知する（Ｓ２２５）。この通知情報は、既述のＳＳＩＤ、セキュリティキーなどである。
【０１４９】
ＲＯＭ４４８−１（ＲＯＭ−Ａ）の緊急災害プロファイル１２２を読み込み（Ｓ２２６）、アクセスポイント４を再起動する（Ｓ２２７）。これにより、災害モードの設定を完了する。
【０１５０】
Ｓ２２４において、無線ＬＡＮで接続している有線ＬＡＮデバイス８がなければ（Ｓ２２４のＮＯ）、Ｓ２２５をスキップし、ＲＯＭ４４８−１（ＲＯＭ−Ａ）の緊急災害プロファイル１２２を読み込み（Ｓ２２６）、アクセスポイント４の再起動（Ｓ２２７）を行う。これにより、災害モードの設定を完了する。
【０１５１】
＜アクセスポイント４側の終了処理＞
【０１５２】
図１８は、アクセスポイント４側の終了処理の処理手順を示している。この処理手順は、本開示の制御方法または制御プログラムの一例である。
【０１５３】
緊急災害用プロファイル１２２で無線ＬＡＮ接続されている端末装置６の確認は一定時間Ｎの間隔で行う。この一定時間Ｎは任意の値に設定可能である。この処理手順では、一定時間Ｎが経過したか否かを確認し、一定時間Ｎの経過まで時間監視状態が維持される。
【０１５４】
一定時間Ｎが経過すれば（Ｓ２３１のＹＥＳ）、緊急災害用プロファイル１２２で無線ＬＡＮ接続されている端末装置６があるかを確認する（Ｓ２３２）。無線ＬＡＮ接続されている端末装置６があれば（Ｓ２３２のＹＥＳ）、無線接続されている端末装置６に対して「通常プロファイル１２０に切り替わること」を通知する（Ｓ２３３）。この通知はポップアップなどで行えばよい。
【０１５５】
この通常プロファイル１２０への切替え通知の後、ＲＯＭ４４８−２に格納されている通常プロファイル１２０を読み込む（Ｓ２３４）。これにより、アクセスポイント４を再起動する（Ｓ２３５）。アクセスポイント４が通常モードに切り替わり、シャット状態にあった全ての有線ＬＡＮポートがオープン状態に移行し（Ｓ２４６）、この処理を終了する。
【０１５６】
斯かる構成によれば、災害時、特定ユーザ以外からのアクセスを禁止できる。つまり、「災害モード」のありまたはなしを任意に設定でき、特定ユーザ以外からのアクセスによる弊害を防止することができる。
【０１５７】
災害時にあって、「緊急地震速報」が正しく発信されない場合には、「災害モード」のＯＮまたはＯＦＦを手動で設定する構成としてもよい。
【０１５８】
＜災害時の端末装置６の処理＞
【０１５９】
図１９は、災害時の端末装置６の処理手順を示している。この処理手順は、本開示の制御方法または制御プログラムの一例である。
【０１６０】
災害時、アクセスポイント４は「緊急地震速報」を受信する（Ｓ２４１）。アクセスポイント４は「緊急地震速報」の受信を契機に、「災害モード」が許可に設定されているか否かを確認する（Ｓ２４２）。この確認は、ポップアップなどにより端末装置６に対して行う。この確認には「災害モードが許可に設定されていますか」のメッセージを送信する。「災害モード」が許可に設定されていなければ（Ｓ２４２のＮＯ）、この処理を終了する。
【０１６１】
「災害モード」が許可に設定されていれば（Ｓ２４２のＹＥＳ）、緊急災害用プロファイル１２２に切り替えるか否かを確認する（Ｓ２４３）。この確認もポップアップなどで行えばよい。この確認には「緊急災害用プロファイルに切り替えますか？」のメッセージを送信する。緊急災害用プロファイル１２２に切り替えない場合には（Ｓ２４３のＮＯ）、この処理を終了する。
【０１６２】
緊急災害用プロファイル１２２に切り替える場合には（Ｓ２４３のＹＥＳ）、緊急災害用プロファイル１２２を最上位に設定する（Ｓ２４４）。これにより災害モードの設定を完了する。
【０１６３】
＜端末装置６側の終了処理＞
【０１６４】
図２０は、端末装置６側の終了処理の処理手順を示している。この処理手順は、本開示の制御方法または制御プログラムの一例である。
【０１６５】
緊急災害用プロファイル１２２で無線ＬＡＮ接続されている端末装置６の確認は一定時間Ｎの間隔で行うことは既述のとおりである。また、この一定時間Ｎは、事前に任意に設定可能である。
【０１６６】
一定時間Ｎの経過が監視される（Ｓ２５１）。一定時間Ｎが経過すれば（Ｓ２５１のＹＥＳ）、最上位に設定されている緊急災害用プロファイル１２２を最低位に設定する（Ｓ２５２）。これにより、終了処理を完了する。
【０１６７】
＜災害モード時の有線ＬＡＮポートの設定処理＞
【０１６８】
図２１は、災害モード時の有線ＬＡＮポート設定の処理手順を示している。この処理手順は、表示機能を有する端末装置６から有線ＬＡＮポート４６に接続されている複数の有線ＬＡＮデバイス８（表示機能を有さない機器を含む）に対して災害モード時の有線ＬＡＮポートを設定する処理である。
【０１６９】
この処理手順では、アクセスポイント４の有線ＬＡＮポート４６に接続する（Ｓ２６１）。他の有線ＬＡＮポート４６に接続されている有線ＬＡＮデバイス８のポート情報を変更するかの判定をする（Ｓ２６２）。他の有線ＬＡＮポートに接続されている有線ＬＡＮデバイス８のポート情報を変更しない場合には（Ｓ２６２のＮＯ）、この処理を終了する。
【０１７０】
他の有線ＬＡＮポートに接続されている有線ＬＡＮデバイス８のポート情報を変更する場合には（Ｓ２６２のＹＥＳ）、メモリ４４からテーブル４４４−２（テーブルＢ）の情報を読み出す（Ｓ２６３）。端末装置６の表示部６０２に各ポートの設定情報を表示する（Ｓ２６４）。各ポートに対し、災害モード時のポート設定を行う（Ｓ２６５）。
【０１７１】
設定した設定情報により、テーブル４４４−１（テーブルＡ）を更新し（Ｓ２６６）、この処理を終了する。
【０１７２】
＜災害モード時のＬＡＮ接続の表示処理＞
【０１７３】
図２２は、災害モード時のＬＡＮ接続の処理手順を示している。この処理手順は、アクセスポイント４の通信可能エリアに端末装置６が入った際に、ＬＡＮ接続が可能である旨の表示処理である。
【０１７４】
この処理手順では、周波数帯域の自動スキャン時にアクセスポイント４からのビーコンを受信したか否かを端末装置６で判定する（Ｓ２７１）。端末装置６は、周波数帯域の自動スキャンを行う。緊急災害用プロファイル１２２に設定されたアクセスポイント４からのビーコンを受信する。この処理では、アクセスポイント４からのビーコンを受信したか否かが判定される。
【０１７５】
ビーコンを受信すれば（Ｓ２７１のＹＥＳ）、接続処理を行う（Ｓ２７２）。ビーコンを受信しなければ（Ｓ２７１のＮＯ）、周波数帯域の自動スキャン状態が維持される。
【０１７６】
接続が成立すれば、緊急災害用プロファイル１２２に設定されたアクセスポイント４と接続されたことを表示する（Ｓ２７３）。
【０１７７】
緊急災害用プロファイル１２２に設定されたアクセスポイント４と接続中であることを画面６０３に表示し（Ｓ２７４）、この処理を終了する。
【０１７８】
＜災害モード時の処理＞
【０１７９】
図２３および図２４は、災害モード時の処理シーケンスを示している。この処理シーケンスは一例として、１つのアクセスポイント４と２つの端末装置６−１、６−２の関係を示している。
【０１８０】
この処理シーケンスは当初、アクセスポイント４−１および端末装置６−１が通常モードＭ１（通常プロファイル１２０の実行中）で、無線ＬＡＮ接続中である（Ｓ３０１）。これに対し、端末装置６−２は単独状態にある。通常モード時には表示の一例である表示例６（図１３のＡ）が実行される。
【０１８１】
この状態で、アクセスポイント４−１および端末装置６−１、６−２は緊急地震速報を受信している（Ｓ３０２、Ｓ３０３、Ｓ３０４）。アクセスポイント４−１では、災害モードが許可に設定されているかを判断する（Ｓ３０５）。この処理に続いて災害モード時に接続を許可していない有線ＬＡＮポート４６をシャットする（Ｓ３０６）。また、無線ＬＡＮで接続している端末装置６がいるかを確認する（Ｓ３０７）。
【０１８２】
端末装置６−１では、通常モードＭ１において、災害モードを許可するかを表示する（Ｓ３０８）。この表示は、表示例１（図１１のＡ）で実行される。一方、端末装置６−２では同様に、災害モードを許可するかを表示する（Ｓ３０９）。
【０１８３】
アクセスポイント４−１と端末装置６−１は無線ＬＡＮ接続中である。そこで、アクセスポイント４−１は、端末装置６−１に対し、緊急災害用プロファイル１２２に切り替わることおよび設定情報（ＳＳＩＤ、セキュリティキー）を通知する（Ｓ３１０）。この通知を受けた端末装置６−１では、その通知情報を表示する。この表示は既述の表示例２（図１１のＢ）で行う。この通知の後、アクセスポイント４−１は端末装置６−１に対し、無線ＬＡＮの切断処理を実行する（Ｓ３１１）。
【０１８４】
端末装置６−１では、通常プロファイル１２０による接続が切断されたことを表示する（Ｓ３１２）。この表示は表示例３および表示例４（図１２のＡ、Ｂ）で実行される。端末装置６−１では、アクセスポイント４の通知を受け、緊急災害用プロファイル１２２に切り替えるかの表示を行う（Ｓ３１３）。また、端末装置６−１では、緊急災害用プロファイル１２２の優先順位を最上位に移行させる（Ｓ３１４）。これにより、端末装置６−１では、緊急災害用プロファイル１２２の実行により、動作状態を災害モードＭ２に遷移する。
【０１８５】
端末装置６−２では、緊急災害用プロファイル１２２に切り替えるかの表示を行う（Ｓ３１５）。緊急災害用プロファイル１２２の優先順位を最上位に移行させる（Ｓ３１６）。これにより、端末装置６−２においても、緊急災害用プロファイル１２２の実行により、動作状態を災害モードＭ２に遷移する。
【０１８６】
アクセスポイント４−１では、緊急災害用プロファイル１２２に設定情報を変更し（Ｓ３１７）、動作状態を災害モードＭ２に遷移する。そして、アクセスポイント４−１は再起動を行う（Ｓ３１８）。
【０１８７】
アクセスポイント４−１および端末装置６−１は無線ＬＡＮ接続を実行する（Ｓ３１９）。同様に、アクセスポイント４−１および端末装置６−２は無線ＬＡＮ接続を実行する（Ｓ３２０）。
【０１８８】
この接続状態において、アクセスポイント４−１は、端末装置６−１に緊急災害用プロファイル１２２で接続されたことを通知する（Ｓ３２１）。この通知は端末装置６−１に表示され、表示例５（図１２のＣ）で実行される。同様に、アクセスポイント４−１は、端末装置６−２に緊急災害用プロファイル１２２で接続されたことを通知する（Ｓ３２２）。この通知は端末装置６−２に表示され、表示例５（図１２のＣ）で実行される。
【０１８９】
端末装置６−１では、緊急災害用プロファイル１２２で接続中であることを表示する（Ｓ３２３）。この表示は、表示例７（図１３のＢ）で実行される。また、端末装置６−１ではＮ時間の経過を監視する（Ｓ３２４）。
【０１９０】
端末装置６−２では、緊急災害用プロファイル１２２で接続中であることを表示する（Ｓ３２５）。この表示は、表示例７（図１３のＢ）で実行される。また、端末装置６−２ではＮ時間の経過を監視する（Ｓ３２６）。
【０１９１】
アクセスポイント４−１では、Ｎ時間の経過を監視し（Ｓ３２７）、これに続いて、無線ＬＡＮで接続している端末装置６があるかを確認する（Ｓ３２８）。
【０１９２】
アクセスポイント４−１は、端末装置６−１、６−２に対し、通常プロファイル１２０に切り替えることを通知する（Ｓ３２９、Ｓ３３０）。このとき、その旨の表示を行い、表示例８（図１４のＡ）で実行される。この通知の後、アクセスポイント４−１は無線ＬＡＮ接続中の端末装置６−１、６−２に対し、無線ＬＡＮの切断処理を実行する（Ｓ３３１、Ｓ３３２）。これにより、端末装置６−１、６−２は災害モードＭ２を終了する。
【０１９３】
端末装置６−１では、緊急災害用プロファイル１２２による接続が切断されたことを表示する（Ｓ３３３）。この表示は、表示例９（図１４のＢ）で実行される。そして、端末装置６−１では、緊急災害用プロファイル１２２を最下位にする（Ｓ３３４）。これにより、端末装置６−１では通常モードＭ１に遷移する。
【０１９４】
端末装置６−２では、緊急災害用プロファイル１２２による接続が切断されたことを表示する（Ｓ３３５）。この表示は、表示例９（図１４のＢ）で実行される。そして、端末装置６−２では、緊急災害用プロファイル１２２を最下位にする（Ｓ３３６）。
【０１９５】
アクセスポイント４−１では、災害モードＭ２を終了した後、通常プロファイル１２０に設定情報を変更する（Ｓ３３７）。そして、アクセスポイント４−１は、再起動を行う（Ｓ３３８）。
【０１９６】
アクセスポイント４−１と端末装置６−１は、無線ＬＡＮ接続を実行する（Ｓ３３９）。アクセスポイント４−１は、端末装置６−１に対し、通常プロファイル１２０で接続されたことを通知する（Ｓ３４０）。この通知表示は、表示例１０（図１４のＣ）で実行される。
【０１９７】
そして、アクセスポイント４−１では、災害モード時にシャットしていた有線ＬＡＮポート４６をオープンにする（Ｓ３４１）。
【０１９８】
＜第２の実施形態の効果＞
【０１９９】
第２の実施の形態によれば、次のような効果が得られる。
【０２００】
(a) 災害などの緊急時に無線ＬＡＮ接続の利用により連絡手段および情報収集手段を拡大でき、インターネット回線などの回線接続を利用することができる。この場合、ホットスポットエリアの拡大などの大規模な設備は不要である。また、個別の特別な接続のための契約などの締結も不要である。
【０２０１】
(b) アクセスポイントにおいて緊急災害用プロファイル１２２への切替えの許可または不許可を行ない、災害モードの設定として許可または不許可を設定できる。
【０２０２】
(c) 通常時、特定ユーザに制限されている通信システムを災害などの緊急時、緊急通信システムとして利用の機会を拡大できる。災害などの緊急時、不特定多数の利用者に対して連絡や情報の提供手段として利用することができる。
【０２０３】
(d) 災害などの緊急時、通常時には特定のユーザに設定された無線ＬＡＮプロファイルを緊急災害用プロファイル１２２に自動的に切り替え、不特定多数のユーザに対し、一般家庭や店舗などにあるアクセスポイントを有効利用できる。災害時、有効に機能しているアクセスポイントの利用機会を拡大でき、電話などの通信手段が制限された環境下にあっても、インターネット回線への接続機会を拡げることができ、連絡手段や各種情報取得手段に利用できる。
【０２０４】
(e) 災害時に被害を免れ、機能しているアクセスポイントを特定することなく、ユーザが接続可能なアクセスポイントに任意に接続できる。しかも、接続の可能性をユーザがサーチすることなく、無線接続の自動化に寄与することができる。つまり、アクセスポイントの電波受信エリアに端末装置が入れば、無線接続が行えるので、利便性の高い緊急無線接続の支援システムを構築できる。
【０２０５】
〔他の実施の形態〕
【０２０６】
(1) 上記実施の形態では、有線ＬＡＮポート４６に接続された有線ＬＡＮデバイス８との無断接続を防止する場合について記載したが、これに限定されない。すなわち、アクセスポイントに無線接続された無線ＬＡＮデバイスとの無断接続を禁止する構成にも利用することができる。
【０２０７】
(2) 上記実施の形態では、緊急時の動作モードとして災害モードを例示したが、第２の状態の動作モードは災害モードに限定されるものではない。第２の状態の動作モードは、災害モード以外の緊急性を要する状態を広く含むものである。
【０２０８】
以上説明したように、本発明の最も好ましい実施の形態等について説明した。本発明は、上記記載に限定されるものではない。特許請求の範囲に記載され、または発明を実施するための形態に開示された発明の要旨に基づき、当業者において様々な変形や変更が可能である。斯かる変形や変更が、本発明の範囲に含まれることは言うまでもない。
【符号の説明】
【０２０９】
２  通信システム
４、４−１、４−２  無線ＬＡＮアクセスポイント装置
６、６−１、６−２、６−３・・・６−Ｎ  無線ＬＡＮ端末装置
８  有線ＬＡＮデバイス
１０  電波受信エリア
１２  無線ＬＡＮ設定情報
１２０  通常プロファイル
１２２  緊急災害用プロファイル
１３−１  家屋
１３−２  ビル
１４  電波
１６  ユーザ
１８  災害発生
２０  項目情報
２２  設定値情報
２４  インターネット
２６  サーバ
２８  ＨＤＤ
２９  プリンタ
３０  ＮＡＳ
３２  識別情報格納部
３４  設定情報格納部
３６  有線ＬＡＮポート情報格納部
３８  識別情報格納部
３９  設定情報格納部
４０  プロセッサ
４２  通信部
４４  メモリ
４６−１、４６−２・・・４６−Ｎ  有線ＬＡＮポート
４８  アンテナ
６０−１、６０−２  スマートフォン
６０−３  ＰＣ
６２  アンテナ
７２−１  メッセージ表示
７２−２  ガイド表示
７２−３  ダイアログアイコン表示
７４−１  メッセージ表示
７４−２  ガイド表示
７４−３  接続情報表示
７６  メッセージ表示
７８−１  メッセージ表示
７８−２  ダイアログアイコン
８０  メッセージ表示
８２  メッセージアイコン
８２−１  メッセージアイコン
８２−２  災害モードアイコン
８４  メッセージ表示
８６  メッセージ表示
８８  メッセージ表示
４０２  有線ＬＡＮ通信部
４０４  無線ＬＡＮ通信部
４０６  無線受信部
４０８  ルーティング制御部
４１２  電源部
４１４  表示部
４１６  有線ＷＡＮ通信部
４１８  バス
４２２  アンテナ
４４４−１、４４４−２  テーブル
４２６  有線ＬＡＮ制御部
４２８  セレクタ
４３２  無線ＬＡＮ送受信部
４３４  無線ＬＡＮ制御部
４３６  セレクタ
４４８−１、４４８−２  ＲＯＭ
４４０  入力部
４４２  バッファ
４４５  緊急情報受信部
４４６  緊急情報制御部
６００  プロセッサ
６０２  表示部
６０４  操作部
６０６  無線受信部
６０８  メモリ
６１０  電源部
６１２、６１４  無線通信部
６１６  バス
６１８、６２０  アンテナ
【図１】
2014033280.tif 000003
【図２】
2014033280.tif 000004
【図３】
2014033280.tif 000005
【図４】
2014033280.tif 000006
【図５】
2014033280.tif 000007
【図６】
2014033280.tif 000008
【図７】
2014033280.tif 000009
【図８】
2014033280.tif 000010
【図９】
2014033280.tif 000011
【図１０】
2014033280.tif 000012
【図１１】
2014033280.tif 000013
【図１２】
2014033280.tif 000014
【図１３】
2014033280.tif 000015
【図１４】
2014033280.tif 000016
【図１５】
2014033280.tif 000017
【図１６】
2014033280.tif 000018
【図１７】
2014033280.tif 000019
【図１８】
2014033280.tif 000020
【図１９】
2014033280.tif 000021
【図２０】
2014033280.tif 000022
【図２１】
2014033280.tif 000023
【図２２】
2014033280.tif 000024
【図２３】
2014033280.tif 000025
【図２４】
2014033280.tif 000026